(57)【要約】【課題】サービス利用者にタグの所持等の特別な手続きをさせることなく、またピンぼけや露出不良の少ない画像を得る。【解決手段】画像処理装置２０１はカメラ装置１０１で撮影した画像の顔部分の特徴量を抽出し、この抽出した特徴量と画像とをデータベース装置２０３に登録する。そして、検索装置２０２は、検索対象である人物の顔部分の特徴量をキーとして、このデータベース装置２０３を検索する構成とした。また、画像処理装置２０１は、ピンぼけや露出不良の少ない画像を得るため、カメラ装置１０１が設置される撮影ポイントにおいて最適露出で撮影するための平均濃度の値を記録し、この値を参照してカメラ装置１０１に対しアイリス制御を行う構成とした。【選択図】図１
2007228381.tif 000002
【特許請求の範囲】
【請求項１】
１以上のカメラ装置で撮影された画像を取り込み、取り込んだ画像における人物の顔部分の特徴量を抽出する画像処理装置と、
前記画像とこの画像における顔部分の特徴量とを対応付けて格納するデータベース装置と、
検索対象である人物の顔部分を含む画像をカメラ装置で撮影する受付装置と、
前記検索対象である人物の顔部分を含む画像を受信し、前記受信した画像における顔部分の特徴量をキーとして、前記データベース装置から前記特徴量と同じ特徴量を持つ画像を検索し、出力する検索装置と、
を備えることを特徴とする画像撮影サービスシステム。
【請求項２】
前記検索対象である人物の顔部分を含む画像は、ネットワーク経由で端末装置から送信された画像であり、
前記検索装置により検索された画像を前記ネットワーク経由で前記端末装置へ送信するサーバをさらに備えることを特徴とする請求項１に記載の画像撮影サービスシステム。
【請求項３】
前記画像撮影サービスシステムは、前記検索対象である人物の顔部分を含む画像を登録する登録装置をさらに備え、
前記画像処理装置は、前記登録装置に登録された顔部分の画像と同じ特徴量を持つ画像が前記カメラ装置により撮影されたとき、前記撮影された画像を動画として前記データベース装置に登録し、
前記サーバは、前記データベース装置に登録した動画を、前記ネットワーク経由で端末装置へ送信することを特徴とする請求項２に記載の画像撮影サービスシステム。
【請求項４】
前記画像処理装置は、前記カメラ装置ごとに、当該カメラ装置の設置される撮影ポイントにおいて、前記カメラ装置が最適露出で被写体の顔を撮影するための撮影画像の顔部分の平均濃度の値を示した設定テーブルを記憶部に記憶し、
前記画像処理装置は、前記カメラ装置から取り込んだ画像の顔部分の平均濃度を計算し、前記抽出した平均濃度が、前記設定テーブルにおける当該カメラ装置に関する平均濃度の値と同じになるよう、前記カメラ装置に対しアイリス制御を行うことを特徴とする請求項１ないし請求項３のいずれか１項に記載の画像撮影サービスシステム。
【請求項５】
前記設定テーブルは、前記カメラ装置ごとに、当該カメラ装置から画像を取り込むときのフレームレートをさらに記憶し、
前記画像処理装置は、前記設定テーブルにおける当該カメラ装置に関するフレームレートで当該カメラ装置からの画像を取り込み、前記画像における顔部分の特徴量を抽出することを特徴とする請求項４に記載の画像撮影サービスシステム。
【発明の詳細な説明】
【技術分野】
【０００１】
本発明は、イベント会場等における画像撮影サービスシステムに関する。
【背景技術】
【０００２】
これまで、遊園地やイベント会場等で写真撮影をする場合、入場者がカメラやビデオカメラを持参して撮影したり、業者に依頼して撮影したりするのが一般的であった。これに対して、ＩＣタグ等のタグをサービス利用者に所持させることで、場内に設置したタグセンサでタグを読み取り、場内に設置したデジタルカメラ（カメラ）で自動的に画像撮影を行い、サービス利用者が出場時にタグと引き替えに、そのサービス利用者の写真を受け取れるシステムが特許文献１に開示されている。
【特許文献１】特開２００２−４１７０３号公報
【発明の開示】
【発明が解決しようとする課題】
【０００３】
しかし、従来のシステムは、カメラ設置各所にタグセンサの導入が必要となり、サービス利用者（被写体となる人物）もタグの紛失に注意する必要がある等の煩わしさがあった。また、撮影時のカメラの設定はカメラ自身の自動調整機能（オートフォーカスやオートアイリス）任せとなることから、日差しや被写体となる人物の移動速度によっては画像がぶれたり、露出が合わなかったりすることがある。
【０００４】
本発明の目的は、サービス利用者にタグの所持等の特別な手続きをさせることなく、またピンぼけや露出不良の少ない画像を撮影できる画像撮影サービスシステムを提供することである。
【課題を解決するための手段】
【０００５】
前記した課題を解決するため、本発明の画像撮影サービスシステムにおいて、画像処理装置はカメラ装置で撮影した画像の顔部分の特徴量を抽出し、この抽出した特徴量と画像とをデータベース装置に登録する。そして、検索装置は、検索対象である人物の顔部分の特徴量をキーとして、このデータベース装置を検索する構成とした。また、画像処理装置は、ピンぼけや露出不良の少ない画像を得るため、カメラ装置が設置される撮影ポイントにおいて最適露出で撮影するための平均濃度の値を記録し、この値を参照してカメラ装置に対しアイリス制御（しぼり制御）を行う構成とした。その他の構成については、後記する実施の形態で述べる。
【発明の効果】
【０００６】
本発明によれば、サービス利用者にタグの所持等の特別な手続きをさせることなく、またピンぼけや露出不良の少ない画像を撮影できる。
【発明を実施するための最良の形態】
【０００７】
以下、本発明を実施するための最良の形態（以下、実施の形態とする）について、図面を参照して詳細に説明する。なお、以下の説明では、本発明を遊園地やイベント会場に来場した人物を撮影するシステムに適用した場合を例に説明するが、これに限定されるものではない。
【０００８】
＜第１の実施の形態＞
図１は、本発明の実施の形態である画像撮影サービスシステムの構成を示す図である。
【０００９】
＜システムの全体構成＞
画像撮影サービスシステムは、人物とその背景を撮影するカメラ装置１０１と、このカメラ装置１０１の映像信号を入力として画像処理して人物の顔の特徴量を抽出する画像処理装置２０１と、カメラ装置１０１により撮影された画像とこの画像における顔部分の特徴量とを対応付けて格納するデータベース装置２０３と、サービス利用者の顔の画像を撮影し検索装置２０２へ送信し、検索結果の画像サンプルを表示・印刷し、料金を収受する料金収受装置（受付装置）３０１と、画像処理装置２０１で抽出した顔の画像の特徴量とデータベース装置２０３に登録された特徴量を照合し、この特徴量と一致する画像を検索する検索装置２０２と含んで構成される。なお、これらの装置はＬＡＮ（Local Area Network）等のネットワーク６０１により接続される。
【００１０】
カメラ装置１０１は、例えばイベント会場のアトラクションごとに設置され、人物とアトラクション等の背景とを撮影する。このカメラ装置１０１は、従来から市販されている監視用途の高解像度カラーカメラや、いわゆるＩＰカメラ等を用いる。
また、このカメラ装置１０１は、画像処理装置２０１からネットワーク６０１を経由した制御信号により、レンズのアイリス制御を多段階（例えば、６４階調、２５６階調等）で行う機能を備える。なお、このカメラ装置１０１に無線通信機能を搭載し、無線ＬＡＮ経由で画像処理装置２０１に接続するようにしてもよい。このようにすることで、施工が簡易となり、カメラ装置１０１の増設やイベントに応じた設置場所の変更が容易となる。また、このカメラ装置１０１のシャッター速度は被写体の移動速度に対応できるよう、例えば１／１０００秒程度が好ましい。
また、以下の説明では、カメラ装置１０１から出力される画像は、動画であるものとして説明するが、静止画であってもよい。
【００１１】
画像処理装置２０１は、顔認証アルゴリズムにより、カメラ装置１０１から取り込んだ画像（映像信号や電子ファイル）における顔部分の特徴量を抽出して、このカメラ装置１０１のカメラ装置ＩＤと画像とともにデータベース装置２０３へ送信する。また、検索装置２０２から送信された画像についても顔部分の特徴量を抽出し、抽出した特徴量を検索装置２０２へ送信する。
【００１２】
また、この画像処理装置２０１は、事前にカメラ装置１０１ごとに設定された画像の顔部分の平均濃度の値に基づきカメラ装置１０１のアイリス制御を行う。つまり、各カメラ装置１０１において、ピンぼけや露出不良の少ない画像撮影を行わせるようにする。さらに、画像処理装置２０１は、カメラ装置１０１による被写体の撮り逃しを防止し、検索装置２０２による特徴量をキーとした画像検索の検索精度を向上させるため、カメラ装置１０１ごとに設定された所定のフレームレートで各カメラ装置１０１から画像を取り込む。この画像処理装置２０１は、例えば、イベント会場の本部事務所等に設置される。この画像処理装置２０１の詳細は、図３を用いて後記する。
【００１３】
データベース装置２０３は、画像処理装置２０１から受信した画像と、この画像における顔の特徴量と、撮影したカメラ装置１０１のカメラ装置ＩＤとを関連付けて記憶する。このデータベース装置２０３は、イベント会場の本部事務所等に設置され、ネットワークインターフェースおよびハードディスク装置等の記憶装置を備える市販のファイルサーバやネットワークストレージ等で構成される。
【００１４】
料金収受装置３０１は、イベント会場出口に設置され、検索対象の人物（サービス利用者）の顔を撮影する。そして、料金収受装置３０１は、検索対象の人物（サービス利用者）の顔を含む画像を検索装置２０２に対して要求し、検索装置２０２により検索された画像を受信すると、この画像をサンプル画像として出力する。この後、料金収受装置３０１は、サービス利用者から料金を収受したことを確認すると、検索装置２０２から受信した画像をプリントアウトする。この料金収受装置３０１の詳細は、図４を用いて後記する。
【００１５】
検索装置２０２は、料金収受装置３０１から受信したサービス利用者の顔の画像をもとに画像処理装置２０１にて特徴量を抽出させ、画像処理装置２０１で抽出した特徴量とデータベース装置２０３に蓄積している画像の特徴量とを照合し、特徴量が一致する画像を検索し、料金収受装置３０１へ送信する。この検索装置２０２は市販のサーバ等で構成され、イベント会場の本部事務所等に設置される。
【００１６】
ここで、図１のカメラ装置１０１の設置位置について説明する。
図２は、図１のカメラ装置の設置位置を例示した図である。カメラ装置１０１は被写体の顔を正面から写す位置に設置する。このため、サービス利用者（被写体）に撮影を意識させるよう、被写体の立ち位置や乗り物の通過点の撮影ポイントにマーキング５０１を施し、カメラ装置１０１の稼動中をランプ５０２等で表示させておくことが好ましい。
【００１７】
また、別のアングルに設定したカメラ装置１０１を別途配置することで、同じ被写体について別のアングルからも撮影可能となる。さらに、カメラ装置ＩＤと、このカメラ装置１０１が設置されるアトラクションとを対応付けた情報を用意しておけば、カメラ装置ＩＤから、そのカメラ装置１０１が設置されるアトラクションがわかるので、サービス利用者が写った画像以外に、そのアトラクションに関連する画像・映像を併せてサービス利用者に提供することもできる。
【００１８】
＜画像処理装置＞
次に、画像処理装置２０１を詳細に説明する。画像処理装置２０１は、カメラ装置１０１からの画像取り込み等、図１のネットワーク６０１経由で各装置との通信を行うためのインタフェース部と、取り込んだ画像の顔部分の特徴量の抽出やカメラ装置１０１の制御等を行う演算処理部と、演算処理部が演算処理を行うために用いるデータやプログラム、カメラ装置１０１から取り込んだ画像等を記憶する記憶部とを備えるコンピュータにより実現される。
【００１９】
この演算処理部は、例えば、ＣＰＵ（Central Processing Unit）により構成される。また、この演算処理部は、記憶部に格納されるプログラム（顔認証アルゴリズムを用いたプログラム等）を実行することにより画像処理装置２０１の機能を実現する。なお、記憶部は、ＲＡＭ（Random Access Memory）やハードディスク装置等により構成される。この顔認証アルゴリズムとしては公知の技術である「Gabor Wavelet変換＋グラフ・マッチング」や「制約相互部分空間法」等を用いる。そして、この顔認証アルゴリズムにより演算処理部は、画像中の顔部分の切り出し、顔特徴点の検出、顔特徴量の抽出等を行う。
【００２０】
図３（ａ）は、図１の画像処理装置を機能展開して示したブロック図である。図１を参照しつつ、図３（ａ）を用いて画像処理装置２０１の機能を説明する。
画像処理装置２０１の機能は、図３（ａ）に示すように、通信部２１１と、記憶部２１２と、処理部２３０とに分けられる。
【００２１】
通信部２１１は、前記したインタフェース部および演算処理部のプログラム実行処理により実現され、ネットワーク６０１経由で各装置との通信を行う。
【００２２】
記憶部２１２は、カメラ制御部２３２（後記）がカメラ装置１０１のアイリス制御およびカメラ装置１０１からの画像（映像信号）取り込みを行うときに参照する設定テーブル２１３を格納する。また、この記憶部２１２は、カメラ装置１０１や検索装置２０２から出力された画像データ２１４を一時的に記憶する。
【００２３】
この設定テーブル２１３は、カメラ装置１０１のカメラ装置ＩＤごとに、このカメラ装置１０１の設置される撮影ポイントにおいてカメラ装置１０１が最適露出で被写体の顔を撮影するための顔部分の平均濃度の値が記録される。
なお、このときの最適露出は、カメラ装置１０１のオートフォーカス機能により得られた値でもよいが、平均濃度が安定した方がより高精度の認識ができる。
この設定テーブル２１３は、カメラ装置１０１ごとに、このカメラ装置１０１から画像（映像信号）を取り込むときのフレームレートの値をさらに含む。以下の表１に設定テーブル２１３を例示する。
【００２４】
【表１】
2007228381.tif 000003
【００２５】
例えば、表１に例示する設定テーブル２１３において、カメラ装置ＩＤ「１０１」のカメラ装置１０１が被写体を撮影するとき、顔部分の平均濃度が「ａａａ」となるようアイリス制御をすることを示す。また、カメラ装置１０１で撮影された画像（映像信号）を取り込むとき、「５枚／秒」のフレームレートで取り込むことを示す。なお、この平均濃度は、濃度を２５６段階で評価したときの数値を用いる。
【００２６】
なお、この設定テーブル２１３における顔部分の平均濃度の値は、事前にこのカメラ装置１０１が設置される撮影ポイントで露出が最適となるよう被写体を撮影しておき、このときの顔部分の平均濃度の値を記録して用いるようにする。
【００２７】
また、設定テーブル２１３に設定されるフレームレートの値は、このカメラ装置１０１の設置される撮影ポイントにおける被写体の移動速度に応じて設定するのが好ましい。例えば、カメラ装置１０１の設置される撮影ポイントは、被写体が静止するアトラクションの場合は５枚／秒、歩くアトラクションの場合は１０枚／秒、乗り物に乗るアトラクションの場合は２０枚／秒程度のフレームレートで取り込むようにする。つまり、被写体の移動速度が速いほど、カメラ制御部２３２は高いフレームレートでカメラ装置１０１から画像の取り込みをするよう設定テーブル２１３に設定する。このようにすることで、カメラ装置１０１による被写体の撮り逃しを防ぐので、画像処理部２３１（後記）における顔特徴量の抽出しやすくなる。また、画像処理装置２０１は、被写体の移動速度が遅いときには、低いフレームレートで画像とりこみを行うことで、画像処理装置２０１における画像処理（特徴量抽出等）の負荷を低減できる。
【００２８】
なお、設定テーブル２１３の情報は、例えば、画像処理装置２０１に接続される入力装置２０４経由で入力するようにしてもよいし、ネットワーク６０１経由で入力するようにしてもよい。
【００２９】
処理部２３０は、画像処理部２３１と、カメラ制御部２３２とを備える。この処理部２３０は、前記した演算処理部のプログラム実行処理により実現される。
【００３０】
画像処理部２３１は、カメラ装置１０１から取り込んだ画像における顔部分の平均濃度を計算し、カメラ制御部２３２へ出力する。また、画像処理部２３１は、画像の顔部分の切り出し、顔部分の特徴点の検出、顔部分の特徴量の抽出等を行う。すなわち、画像処理部２３１は、カメラ装置１０１から取り込んだ画像の顔部分の特徴量を抽出し、抽出した特徴量と画像とを通信部２１１経由でデータベース装置２０３へ送信する。また、検索装置２０２から検索対象の画像の顔部分の特徴量の問い合わせを受けたときには、この画像の顔部分の特徴量を抽出し、検索装置２０２へ返信する。
【００３１】
カメラ制御部２３２は、カメラ装置１０１における画像の顔部分の平均濃度の値が、設定テーブル２１３に示される平均濃度の値に近づくようカメラ装置１０１のアイリス制御を行う。また、カメラ制御部２３２は、設定テーブル２１３に示されるフレームレートで、通信部２１１経由でカメラ装置１０１から画像を取り込む。
【００３２】
＜検索装置＞
検索装置２０２は、図１のネットワーク６０１経由で各装置との通信を行うためのインタフェース部と、顔部分の特徴量をキーとした画像検索等の演算処理を行う演算処理部と、演算処理部が演算処理を行うために用いるデータやプログラムを記憶する記憶部とを備えるコンピュータにより実現される。この演算処理部はＣＰＵ等を用い、記憶部はＲＡＭやハードディスク装置等を用いる。
【００３３】
図３（ｂ）は、図１の検索装置を機能展開して示したブロック図である。図３（ｂ）に示すように検索装置２０２の機能は、通信部２２１と、記憶部２２２と、処理部２４０とに分けられる。
通信部２２１は、ネットワーク６０１経由で各装置との通信を行う。例えば、料金収受装置３０１から検索対象である人物の顔を含む画像を受信する。
記憶部２２２は、検索対象である人物の顔を含む画像データ２２３を一時的に記憶する。
処理部２４０は、データベース装置２０３に登録されている画像を検索する検索部２４２を備える。この検索部２４２は、料金収受装置３０１から検索対象である人物の顔を含む画像を受信すると、画像処理装置２０１にこの画像を送信して顔の特徴量を抽出させる。そして、画像処理装置２０１から顔の特徴量を受け取ると、この特徴量をキーとして、データベース装置２０３から検索対象である人物の顔を含む画像を検索する。そして、検索部２４２が検索した画像は、例えば通信部２１１経由で料金収受装置３０１へ送信する。この処理部２４０は、前記した演算処理部によるプログラムの実行処理により実現される。
【００３４】
＜料金収受装置＞
図４は、図１の料金収受装置を機能展開して示したブロック図である。図４に示すように、料金収受装置３０１の機能は、サービス利用者の顔の画像を撮影するカメラ部３１４と、検索装置２０２へ前記したカメラ部３１４により撮影された顔の画像を送信したり、検索装置２０２により検索されたサービス利用者の顔を含む画像を受信したりする通信部３１１と、検索した画像と料金を表示する表示部３１２と、各種指示入力を受け付ける入力部３１６と、料金を収受する収受部３１５と、入力部３１６経由で指示された画像を印刷する印刷部３１３と、これらの各部の制御を行う処理部３１７とに分けられる。なお、表示部３１２は、例えば液晶モニタにより構成され、入力部３１６はキーボード等により構成され、印刷部３１３はプリンタにより構成される。なお、表示部３１２はタッチパネルにより構成し、入力部３１６と兼用するようにしてもよい。
このような料金収受装置３０１により、イベント会場への入場者（つまり、サービス利用者）は、料金の支払後、イベント会場内で撮影された自身の画像を受け取ることができる。なお、ここでは料金収受装置３０１は入場者の画像を印刷出力するものとして説明したが、リムーバブルディスク等の記録媒体に電子データを書き込み、出力するようにしてもよい。
【００３５】
＜動作説明＞
図５は、図１の画像処理装置がデータベース装置へデータを送信する手順を示したフローチャートである。適宜図１〜図４を参照しつつ、図５を用いて、画像処理装置２０１がデータベース装置２０３へデータを送信する手順を説明する。
【００３６】
画像処理装置２０１のカメラ制御部２３２は、設定テーブル２１３を参照して、カメラ装置１０１のアイリス制御を行う（Ｓ４０１）。例えば、カメラ制御部２３２は、このカメラ装置１０１が撮影する画像の平均濃度が、設定テーブル２１３に設定されたこのカメラ装置１０１の平均濃度の値「ａａａ」に近づくように、ネットワーク６０１経由で制御信号を送信し、カメラ装置１０１のアイリス制御を行う。また、カメラ制御部２３２は、設定テーブル２１３（表１参照）に設定されたフレームレートでカメラ装置１０１から画像を取り込む（Ｓ４０２）。例えば、設定テーブル２１３を参照して、フレームレート「５枚／秒」でカメラ装置１０１から画像を取り込む。そして、取り込んだ画像を記憶部２１２に記憶する。ここで、Ｓ４０１とＳ４０２との順は逆でもよい。
続いて、画像処理部２３１は、カメラ装置１０１から取り込んだ画像の顔部分の特徴量を抽出する（Ｓ４０３）。そして、画像処理部２３１は、Ｓ４０３で抽出した特徴量と、Ｓ４０２で取り込んだ画像とを対応させてデータベース装置２０３へ送信する（Ｓ４０４）。
このようにして、画像処理装置２０１は、カメラ装置１０１から取り込んだ画像と、その画像の顔部分の特徴量とをデータベース装置２０３へ送信する。
なお、アイリス制御→画像の取り込みは毎秒数回繰り返される。
【００３７】
次に、図６を用いて、検索装置２０２がデータベース装置２０３から画像を検索する手順を説明する。図６は、図１の検索装置がデータベース装置から画像を検索する手順を示したフローチャートである。
【００３８】
まず、料金収受装置３０１は、サービス利用者の顔の画像を撮影し、検索装置２０２へ送信する（Ｓ５０１）。検索装置２０２は、サービス利用者の顔の画像を受信すると、画像処理装置２０１にこの顔の画像の特徴量を問い合わせる（Ｓ５０２）。そして、画像処理装置２０１は検索装置２０２から受信した画像の特徴量を抽出し、検索装置２０２へ送信する（Ｓ５０３）。検索装置２０２は受信した特徴量をキーとして、データベース装置２０３から画像を検索する（Ｓ５０４）。つまり、サービス利用者の顔を含む画像を検索する。
この後、検索装置２０２はこの検索した画像を、料金収受装置３０１へ送信し（Ｓ５０５）、料金収受装置３０１は検索装置２０２から受け取った画像のサンプル画像を表示部３１２へ表示する（Ｓ５０６）。そして、料金収受装置３０１の入力部３１６からの指示入力および収受部３１５で料金を収受すると（Ｓ５０７）、印刷部３１３により検索された画像をプリントアウトする（Ｓ５０８）。
【００３９】
このようにすることで、サービス利用者はＩＣタグ等の持ち歩きをしなくても、顔の特徴量から本人であることを確認し、画像撮影サービスを受けることができる。また、カメラ装置１０１で撮影される画像の露出不良やピンぼけ、被写体の撮り逃しを防止できる。さらに、画像処理装置２０１は露出不良やピンぼけが少ない画像から特徴量を抽出するので、検索装置２０２による画像検索の精度を向上させることができる。
【００４０】
＜第２の実施の形態＞
次に、本発明の第２の実施の形態を説明する。第２の実施の形態は、料金収受装置３０１のかわりに、インターネット等のネットワークに接続された利用者端末を用いることを特徴とする。つまり、サービス利用者は、利用者端末によりインターネット経由で自分の顔の画像を送信し、検索結果を受信することを特徴とする。
【００４１】
図７は、第２の実施の形態の画像撮影サービスシステムの構成を示す図である。前記した第１の実施の形態と同様の構成要素は同じ符号を付して、説明を省略する。図７に示すように、第２の実施の形態の画像撮影サービスシステムは、利用者端末（端末装置）４０２と、インターネット（ネットワーク）４０１と、Ｗｅｂサーバ（サーバ）４０４とをさらに含む。なお、第１の実施の形態で用いた料金収受装置３０１はあってもなくてもよい。
【００４２】
このＷｅｂサーバ４０４は、料金収受装置３０１と同様の機能をインターネット４０１上で実現する為の装置であり、インターネット４０１経由で利用者端末４０２と通信を行ったり、ネットワーク６０１経由で検索装置２０２と通信を行ったりするための通信インタフェースやアプリケーションを備える。このＷｅｂサーバ４０４は、インターネット４０１経由で利用者端末４０２からサービス利用者の顔の画像を受信する。そして、この画像をもとに検索装置２０２で検索されたサービス利用者の顔の画像を受信し、利用者端末４０２に転送する。なお、このＷｅｂサーバ４０４は、検索装置２０２で検索された画像（元画像）の縮小画像を利用者端末４０２に表示させておき、サービス利用者が電子決済したことを確認後、元画像を利用者端末４０２に転送するようにしてもよい。
また、この利用者端末４０２は、例えば、ＷｅｂブラウザがインストールされたＰＣ（Personal Computer）等が考えられるが、携帯電話機やＰＤＡ（Personal Digital(Data) Assistants）であってもよい。
このようにすることで、サービス利用者はイベント会場内以外でも自身が写った画像を受け取ることができる。
【００４３】
＜その他の実施の形態＞
なお、画像撮影サービスシステムは、図８に示すように登録装置３０２をさらに備えるようにしてもよい。この登録装置３０２はサービス利用者の顔の画像を撮影するカメラ部と、検索装置２０２と通信してサービス利用者の顔の画像を送信する通信部とを備える。サービス利用者は、この登録装置３０２により、あらかじめ自分の顔の画像を登録しておき、画像処理装置２０１はカメラ装置１０１からの画像の顔部分の切り出しおよび特徴量抽出を行い、抽出した特徴量を随時照合する。そして、登録した顔特徴量と一致した人物がこのカメラ装置１０１に写った場合に、その画像を所定時間動画としてデータベース装置２０３に記録（登録）する。このようにすることで、データベース装置２０３に登録される動画は予め登録された人物のもののみになるので、データベース装置２０３に格納されるデータ量を低減できる。
なお、前記した実施の形態において、カメラ装置１０１から出力された画像（映像信号）は、画像処理装置２０１内でｍｐｅｇ形式等にエンコードされ、データベース２０３に蓄積される。
【００４４】
なお、前記した実施の形態において、画像処理装置２０１、検索装置２０２、データベース装置２０３、Ｗｅｂサーバ４０４等は、それぞれ別個の装置であるものとして説明したが、これらの装置を１つの装置により実現するようにしてもよい。
【００４５】
本実施の形態に係る画像処理装置２０１および検索装置２０２は、前記したような処理を実行させるプログラムによって実現することができ、そのプログラムをコンピュータによる読み取り可能な記憶媒体（ＣＤ−ＲＯＭ等）に記憶して提供することが可能である。また、そのプログラムを、インターネット等のネットワークを通して提供することも可能である。
【図面の簡単な説明】
【００４６】
【図１】本発明の実施の形態である画像撮影サービスシステムの構成を示す図である。
【図２】図１のカメラ装置の設置位置を例示した図である。
【図３】（ａ）は、図１の画像処理装置を機能展開して示したブロック図である。（ｂ）は、図１の検索装置を機能展開して示したブロック図である。
【図４】図１の料金収受装置を機能展開して示したブロック図である。
【図５】図１の画像処理装置がデータベース装置へデータを送信する手順を示したフローチャートである。
【図６】図１の検索装置がデータベース装置から画像を検索する手順を示したフローチャートである。
【図７】第２の実施の形態の画像撮影サービスシステムの構成を示す図である。
【図８】図７の画像撮影サービスシステムの変形例を示す図である。
【符号の説明】
【００４７】
１０１  カメラ装置
２０１  画像処理装置
２０２  検索装置
２０３  データベース装置
２１３  設定テーブル
３０１  料金収受装置（受付装置）
３０２  登録装置
４０１  インターネット（ネットワーク）
４０２  利用者端末（端末装置）
４０４  Ｗｅｂサーバ（サーバ）
６０１  ネットワーク
【図１】
2007228381.tif 000004
【図３】
2007228381.tif 000005
【図４】
2007228381.tif 000006
【図５】
2007228381.tif 000007
【図６】
2007228381.tif 000008
【図７】
2007228381.tif 000009
【図８】
2007228381.tif 000010
【図２】
2007228381.tif 000011